(57)【要約】【課題】波長領域毎に異なるスペクトル形状を示す測光値データにおいて、リアルタイムに波長領域毎のピーク検知パラメータの決定し、そのピークパラメータ値によるピーク検知処理の結果を提供する。【解決手段】試料に対して測定光を照射する発光手段と、測定光を任意の波長に分光する分光手段と、分光手段により分光された波長について光度検出を行う検出手段と、測定すべき波長走査範囲と波長走査速度を入力する入力手段２１と、測定を実行する測定手段２３と、得られたデータを処理するデータ処理手段２４と、を有する分光分析装置において、データ処理手段２４は、測定手段２３から得られた測定データと前記パラメータとからピークを検知し、該ピーク検知の際に波長領域毎の感度を決定する。【選択図】  図２
2011027659.tif 000002
【特許請求の範囲】
【請求項１】
試料に対して測定光を照射する発光手段と、測定光を任意の波長に分光する分光手段と、分光手段により分光された波長について光度検出を行う検出手段と、測定すべき波長走査範囲と波長走査速度を入力する入力手段と、測定を実行する測定手段と、得られたデータを処理するデータ処理手段と、を有する分光分析装置において、
前記データ処理手段は、前記測定手段から得られた測定データと前記パラメータとからピークを検知し、該ピーク検知の際に波長領域毎の感度を決定することを特徴とする、分光分析装置。
【請求項２】
試料に対して測定光を照射する発光手段と、測定光を任意の波長に分光する分光手段と、分光手段により分光された波長について光度検出を行う検出手段と、測定すべき波長走査範囲と波長走査速度を入力する入力手段と、測定を実行する測定手段と、得られたデータを処理するデータ処理手段と、を有する分光分析装置において、
前記データ処理手段は、前記測定手段から得られた測定データと前記パラメータとからピークを検知し、該ピーク検知の際に波長領域毎のしきい値を決定することを特徴とする、分光分析装置。
【請求項３】
請求項１または２において、
各感度でのピーク検出処理を行うことを特徴とする、分光分析装置。
【請求項４】
請求項３において、
各感度でのピーク波長に対する開始／終了波長を結んだ線とピーク波長からの垂線の交点における値をピーク値から引いた値を求めることを特徴とする、分光分析装置。
【請求項５】
試料に対して測定光を照射する発光手段と、測定光を任意の波長に分光する分光手段と、分光手段により分光された波長について光度検出を行う検出手段と、測定すべき波長走査範囲と波長走査速度を入力する入力手段と、測定を実行する測定手段と、得られたデータを処理するデータ処理手段と、を有する分光分析装置において、
前記データ処理手段は、測定手段から得られた測定データと、予め記憶した波長領域毎のピーク検知パラメータから、波長領域毎のピークを検知することを特徴とする、分光分析装置。
【請求項６】
請求項５において、
前記ピーク検知パラメータは、波長領域毎のしきい値であることを特徴とする、分光分析装置。
【請求項７】
請求項５において、
前記ピーク検知パラメータは、波長領域毎の感度であることを特徴とする、分光分析装置。
【請求項８】
請求項６において、
前記予め記憶した波長領域毎のしきい値は編集可能であることを特徴とする、分光分析装置。
【請求項９】
請求項７において、
前記予め記憶した波長領域毎の感度は編集可能であることを特徴とする、分光分析装置。
【発明の詳細な説明】
【技術分野】
【０００１】
本発明は、分光分析装置により分光した測定光を走査し、測定を実行し収集したデータを波長領域別にピーク検知する分光分析方法に関するものである。
【背景技術】
【０００２】
分光分析装置では、スペクトルデータに対するピーク検知を行う場合、予め測定した測定データを元にピーク検知パラメータの検証を行い、その結果を測定条件の設定画面で、データ処理条件の一つとしてピーク検知パラメータを設定して、測定後の測定結果の一つであるピーク検知結果を確認していた。しかし、波長領域毎に異なるスペクトル形状を示す場合は、領域毎１のピーク検知パラメータを設定してピーク検知結果を確認し、領域２のピーク検知パラメータを設定してピーク検知結果を確認している。
【０００３】
測光値データに対するピーク検知の計算および再計算を行う手段を有する分光分析装置は提供されている（特許文献１）。しかし、波長領域毎に異なるスペクトル形状を示す測光値データに対してのピーク検知処理をする考慮がされていなかった。
【先行技術文献】
【特許文献】
【０００４】
【特許文献１】特開昭５９−００３３２８号公報
【発明の概要】
【発明が解決しようとする課題】
【０００５】
上記のように、波長領域毎に異なるスペクトル形状を示す測光値データに対して、ピーク検知処理をする考慮がされていなかった。そのため波長領域毎に異なるスペクトル形状を示す測光値データに対しては、測定完了後、リアルタイムに結果を得られるのは１波長領域のみで、他の波長領域については必ずピーク検知パラメータを再設定して再計算するしか結果を得ることができなかった。
【０００６】
また、各波長領域毎にしか結果を得ることができないため、手動による測定結果の整理作業が発生していた。
【０００７】
本発明の目的は、上記従来技術の問題点を克服し、波長領域毎に異なるスペクトル形状を示す測光値データにおいて、リアルタイムに波長領域毎のピーク検知パラメータの決定し、そのピークパラメータ値によるピーク検知処理の結果を提供することにある。
【課題を解決するための手段】
【０００８】
本発明は、試料に対して測定光を照射する発光手段と、測定光を任意の波長に分光する分光手段と、分光手段により分光された波長について光度検出を行う検出手段と、測定すべき波長走査範囲と波長走査速度を入力する入力手段と、測定を実行する測定手段と、得られたデータを処理するデータ処理手段と、を有する分光分析装置において、
前記データ処理手段は、前記測定手段から得られた測定データと前記パラメータとからピークを検知し、該ピーク検知の際に波長領域毎の感度を決定することを特徴とする。
【発明の効果】
【０００９】
本発明によれば、分析者の経験に依ることなく、適切なピーク検知処理が行われ、かつ、波長領域毎に何度も繰り返さず、一回のまたは少ない再計算回数で適切なピーク検知結果が測定波長全域で一度に得られる分光分析装置を実現することができる。
【図面の簡単な説明】
【００１０】
【図１】本発明の実施例に係るもので、分光分析装置の概要を示す図である。
【図２】本発明の実施例に係るもので、分光分析装置の制御方法を示す図である。
【図３】本発明の実施例に係るもので、検証を行う測光値データ（スペクトル）の一例を示す図である。
【図４】本発明の実施例に係るもので、ピーク検知処理を説明する計算フローチャートである。
【図５】本発明の実施例に係るもので、図４の計算フローチャートにおいて作成される計算過程のデータの一例である。
【図６】本発明の実施例に係るもので、図４の計算フローチャートにおいて作成される計算過程のデータの一例である。
【図７】本発明の実施例に係るもので、図４の計算フローチャートにおいて作成される計算過程のデータの一例である。
【図８】本発明の実施例に係るもので、図４の計算フローチャートにおいて作成される計算過程のデータの一例である。
【図９】本発明の実施例に係るもので、図４の計算フローチャートから決定した波長領域別のピーク検知パラメータの一例である。
【図１０】本発明の実施例に係るもので、図４の計算フローチャートから決定した波長領域別のピーク検知結果の一例である。
【発明を実施するための形態】
【００１１】
以下、例えば、波長領域毎に適切なピーク検知処理が行われ、測定波長全域で一度にピーク検知結果を得ることを実現する実施の形態について、説明する。
【００１２】
本発明の実施例について、図１〜図１０を用いて説明する。
【００１３】
まず、図１を用いて、分光分析装置の概要について説明する。分光分析装置１は、光源２，分光器３，試料室４，検知器５で構成される。光源２から出た測定光６は、分光器３へ導かれる。分光器３によって、光はスペクトル分光され任意の波長が選択可能となり、波長走査が行われる。分光器３でスペクトル分光された測定光６は、試料室４を通り、検知器５へ導かれる。
【００１４】
図２を用いて、分光分析装置の制御方法について、説明する。分光分析装置２０は、分光分析装置を制御する制御手段２２，測定手段２３，データ処理手段２４，判定条件記憶手段２５，判定手段２６で構成される。また、分光分析装置２０は外部機器として入力手段２１，表示手段２７を有する。入力手段２１はキーボードやマウス、表示手段２７は液晶等のディスプレイを含む。
【００１５】
測定条件は、測定手段２３が測定した測定データをデータ処理するためのデータ処理パラメータおよびデータ処理手段２４がデータ処理した測定データを判定処理するための判定パラメータ、測定手段２３を制御する制御パラメータ（波長範囲，スキャン速度など）が含まれる。この測定条件が入力手段２１の測定設定機能により設定され、制御手段２２を介して、記憶手段２５へ記憶される。
【００１６】
試料を分光分析装置１０の試料室にセットし、入力手段２１にて基本測定条件と指定波長域測定の測定条件（測定パラメータ）を入力する。記憶手段２５は、それらの測定条件（測定パラメータ）を保存する。
【００１７】
入力手段２１で、記憶手段２５に測定条件（測定パラメータ）を保存した後、入力手段２１上の測定開始ボタン（図示せず）をクリックする。
【００１８】
このクリックに伴い、測定条件（例えば、データモード＝％Ｔ（透過率），測定開始波長＝１８００ｎｍ，測定終了波長＝４００ｎｍ，スキャン速度：３００ｎｍ／min）を記憶手段２５から読み出し、制御手段２２に設定する。
【００１９】
制御手段２２は、測定条件に則って測定手段２３を制御し、測定手段２３は光波長走査に対する吸光度の測定を実行する。測定手順２３で取得された測光データはデータ処理手段で１次データ処理され、記憶手段２５に保存される。
【００２０】
判定手段２６は、記憶手段２５に保存されているピーク検知パラメータと測定波長全域の測光値データで２次データ処理を行い、判定結果は表示手段２７によって表示される。
【００２１】
分光分析装置の測定フローについて説明する。
【００２２】
測定が始まると制御手段２２が、現在の光波長走査の測定波長に合わせたスキャン速度などの制御パラメータ（例えば、開始波長＝１８００ｎｍ，測定終了波長＝４００ｎｍ，スキャンスピード＝３００ｎｍ／min）を、記憶手段２５から読み出し、測定手段２３に測定条件を設定する。
【００２３】
これにより、測定手段２３は、光波長走査の測定波長に合ったスキャン速度（走査速度）で測定を実行する。測定手順２３で取得された測光データは、データ処理手段２４で１次データ処理され、記憶手段２５に保存される。
【００２４】
判定手段２６は、記憶手段２５に保存されているピーク検知パラメータと測定波長全域の測光値データで判定手段２６の２次データ処理を図４のピーク検知処理を行い、図３の波長スキャングラフと図１０のピーク検知結果が表示手段２７によって表示される。
【００２５】
図３の波長スキャングラフには、透過率の縦軸と波長の横軸でスペクトルデータのグラフが表示される。図１０のピーク検知結果には、ピークの長波長側のバレーの波長を開始波長（ｎｍ）、ピークの波長をピーク波長（ｎｍ）、ピークの短波長側のバレーの波長を終了波長（ｎｍ）、ピーク波長（ｎｍ）での測光値データを高さ（％Ｔ）、ピークの短波長側のバレーの波長をバレー、バレー波長での測光値データをバレーが表示される。また、図９のピーク検知パラメータで、図４のピーク検知処理を決定した波長領域別の開始波長，終了波長，しきい値，感度の情報を表示する波長領域別テーブルを表示する。
【００２６】
以下、測光値データの一例を示す図３の波長スキャングラフの測光データで、判定手段２６でのピーク検知処理フローの各ステップを説明する。
【００２７】
図４のピーク検知処理のフローチャートにおいて、処理を開始（２００）し、各感度でのピーク検知処理（２１０）を行い、図５の（１）ピーク検知結果（感度１），図６の（２）ピーク検知結果（感度２），図７の（３）ピーク検知結果（感度４），図８の（４）ピーク検知結果（感度８）を算出する。
【００２８】
次に、各感度でのピークに対するＰＶ値算出処理（２２０）を行い、前記の図５の（１）ピーク検知結果（感度１）から全てのピークに対するＰＶ値を算出する。同様に図６の（２）ピーク検知結果（感度２）から全てのピークに対するＰＶ値を算出、図７の（３）ピーク検知結果（感度４）から全てのピークに対するＰＶ値を算出、図８の（４）ピーク検知結果（感度８）から全てのピークに対するＰＶ値を算出する。ＰＶ値は、ピーク波長に対する開始／終了波長を結んだ線と、ピーク波長からの垂線の交点における値をピーク値から引いた値である。
【００２９】
感度８のピーク波長全てが波長領域が決定した領域内にあるかチェックする（２３０）。
【００３０】
Ｎｏの場合（２４０）、図８の（４）ピーク検知結果（感度８）から未決定波長領域で感度８のＰＶ値の最大値を示すピーク波長ＰＷを求める（２５０）。
【００３１】
次に、図５の（１）ピーク検知結果（感度１）のピーク波長ＰＷでのＰＶ値と、図６の（２）ピーク検知結果（感度２）のピーク波長ＰＷでのＰＶ値５２７、図７の（３）ピーク検知結果（感度４）のピーク波長ＰＷでのＰＶ値５３７、図８の（４）ピーク検知結果（感度８）のピーク波長ＰＷでのＰＶ値から最小値ＰＶminを求める（２５０）。前記の各感度のＰＷでのＰＶ値の最小値ＰＶminを求める（２５０）際に供出した感度をこの波長領域の感度Ｓとする。また、前記の各感度のＰＷでのＰＶ値の最小値ＰＶminを求める（２５０）で決定した最小ＰＶminと、図２の記憶手段２５に保存した図９の判定高さの積を算出する。図５の（１）ピーク検知結果（感度１）の算出結果例の最小ＰＶの３０％相当の値を算出する。さらに、図５の（１）ピーク検知結果（感度１）からピーク波長ＰＷ前後のＰＶ値が、最小ＰＶminのｎ％以上のピーク波長の波長範囲をＰＷに対する波長領域とする（２７０）。図５の（１）ピーク検知結果（感度１）の算出結果例の波長領域を決定する。
【００３２】
感度８のピーク波長全てが波長領域が決定するまで繰り返す。
【００３３】
Ｙｅｓの場合（２４０）、感度８で測定波長領域すべてで、波長領域毎に感度としきい値が決定したか確認する（２８０）。
【００３４】
Ｎｏの場合（２８０）、感度を下げる（２９０）。感度８，４，２，１の順に（２３０）から（２８０）を繰り返し、測定波長領域すべてで、波長領域毎に感度としきい値が決定したか確認する（２８０）。
【００３５】
Ｙｅｓの場合（２８０）、決定した各波長領域毎のしきい値と感度でピーク検知を行い（３００）、結果を図２の記憶手段２５に記憶し、図９のピーク検知パラメータと、図１０のピーク検知結果を図２の表示手段２７に表示する。
【００３６】
以上で図４を終了する（３１０）。
【００３７】
なお、本発明は、次のように表現してもよい。試料に対して測定光を照射する発光手段と、測定光を任意の波長に分光する分光手段と、当該分光手段により分光された波長について光度検出を行う検出手段と、測定すべき波長走査範囲と波長走査速度を入力する入力手段と、測定を実行する測定手段と、得られたデータをデータ処理手段と、前記各手段の制御を行う制御手段とを有し、前記データ処理手段を処理するためのパラメータを入力する入力手段と、前記データ処理手段による処理データを表示する表示手段を備える分光分析装置において、前記データ処理手段は、前記測定手段から得られたデータを逐次記憶する生データ記憶手段と、前記データ処理条件記憶装置に設定されているピーク検知パラメータで前記生データ記憶手段に記憶されている測定データからピーク検知を演算する演算手段と、前記データ処理手段による処理データを表示する表示手段を用いて測定結果を表示処理する測定結果表示制御手段を設け、当該プロファイルについてピーク検知処理を行うピーク検知方法において、波長領域毎のしきい値，感度を算出，記憶し、波長領域毎のピーク検知処理を実行してピーク検知結果を記憶，表示する分光分析装置。分光分析装置において、試料に対して測定光を照射する発光手段と、測定光を任意の波長に分光する分光手段と、当該分光手段により分光された波長について光度検出を行う検出手段と、測定すべき波長走査範囲と波長走査速度を入力する入力手段と、測定を実行する測定手段と、得られたデータをデータ処理手段と、前記各手段の制御を行う制御手段とを備え、前記データ処理手段を処理するためのパラメータを入力する入力手段と、前記データ処理手段による処理データを表示する表示手段を備える分光分析装置において、前記データ処理手段は、前記測定手段から得られたデータを逐次記憶する生データ記憶手段と、前記データ処理条件記憶装置に設定されているピーク検知パラメータで前記生データ記憶手段に記憶されている測定データからピーク検知を演算する演算手段と、前記データ処理手段による処理データを表示する表示手段を用いて測定結果を表示処理する測定結果表示制御手段を設けることを特徴とする。前記データ処理条件記憶装置に設定されているピーク検知パラメータは、検知方法としきい値，感度，波長領域別算出指定，判定高さである。本発明の分光分析装置のピーク検知方法は、当該プロファイルについてピーク検知処理を行う分光分析方法において、波長領域毎のしきい値，感度を算出，記憶し、波長領域毎のピーク検知処理を実行してピーク検知結果を記憶，表示する。また、波長領域毎の境界，しきい値，感度を編集することにより、波長領域毎のピーク検知処理を実行してピーク検知結果を記憶，表示する。
【符号の説明】
【００３８】
１，２０  分光分析装置
２  光源
３  分光器
４  試料室
５  検知器
６  測定光
２１  入力手段
２２  制御手段
２３  測定手段
２４  データ処理手段
２５  記憶手段
２６  判定手段
２７  表示手段
２００  開始
２１０  各感度でのピーク検知
２２０  各感度での（ピーク−バレー）高さ算出
２３０  感度Ｎのピーク検知結果とＰＶ値取得
２４０  感度Ｎのピーク波長の波長領域決定確認
２５０  未決定波長領域で感度Ｎの最大ＰＶ値のピーク波長ＰＷ算出
２６０  各感度のピーク波長ＰＷでの最小ＰＶ値算出ＰＶminと感度Ｓ決定
２７０  ＰＶmin×判定高さによる波長領域決定
２８０  測定波長領域の未決定の確認
２９０  感度Ｎを下げる
３００  波長領域毎のしきい値と感度を使用してのピーク検知
３１０  終了
【図１】
2011027659.tif 000003
【図２】
2011027659.tif 000004
【図３】
2011027659.tif 000005
【図４】
2011027659.tif 000006
【図５】
2011027659.tif 000007
【図６】
2011027659.tif 000008
【図７】
2011027659.tif 000009
【図８】
2011027659.tif 000010
【図９】
2011027659.tif 000011
【図１０】
2011027659.tif 000012